(57)【要約】  連続インクジェットプリンタ用の印刷ヘッド（１０）は、インク液滴生成器（１２）と、インク液滴生成器（１２）に接続されたインク供給管（１４）と、インク液滴生成器（１２）に第１の端部において接続され、溶剤リザーバへの第２の端部における接続のための溶剤供給管（１６）と、を有する。溶剤供給管（１６）は、インク液滴生成器（１２）から溶剤供給管（１６）へのインクの流れを制限するためのインク流れ制限手段（２４、２６）が設けられる。流れ制限手段（２４、２６）は、溶剤供給管（１６）の第１の端部分における溶剤供給管（１６）の流れ方向反転部分（２６）に対して、溶剤供給管（１６）の第２の端部分から第１の端部分までの溶剤の流れがインク液滴生成器（１２）から流出するような、溶剤供給管（１６）の配置（２４）を備える。また、このような印刷ヘッドを含むプリンタおよびこのような印刷ヘッドと共に使用するための巻型も含む。【選択図】図１
2021533010.tif 000002
【特許請求の範囲】
【請求項１】
インクジェットプリンタの印刷ヘッドであって、前記印刷ヘッドが、インク液滴生成器と、前記インク液滴生成器に接続されたインク供給管と、前記インク液滴生成器に第１の端部分において接続され、溶剤リザーバへの第２の端部における接続のための溶剤供給管と、を備え、前記溶剤供給管は、前記インク液滴生成器から前記溶剤供給管へのインク流れを制限するためのインク流れ制限手段が設けられ、前記インク流れ制限手段は、前記溶剤供給管の前記第１の端部分における前記溶剤供給管の流れ方向反転部分に対して、前記溶剤供給管の前記第２の端部分から前記溶剤供給管の前記第１の端部分までの溶剤の流れが前記インク液滴生成器から流出するような、前記溶剤供給管の配置を備える、インクジェットプリンタの印刷ヘッド。
【請求項２】
前記溶剤供給管は、前記溶剤供給管の前記流れ方向反転部分が、前記溶剤供給管のＺ字型、Ｓ字型またはＵ字型配置の一部を形成するように配置されている、請求項１に記載の印刷ヘッド。
【請求項３】
前記溶剤供給管がループを伴って配置され、前記溶剤供給管の前記流れ方向反転部分が一部を形成している、請求項１に記載の印刷ヘッド。
【請求項４】
前記ループのための巻型をさらに備え、前記巻型が、前記溶剤供給管のループを受容し、固定するように構成されている、請求項３に記載の印刷ヘッド。
【請求項５】
請求項１〜４のいずれか一項に記載の印刷ヘッドを含むインクジェットプリンタ。
【請求項６】
溶剤供給管の巻型であって、前記巻型が、溶剤供給管のループを受容して、前記溶剤供給管のループの最小内径を定義するための受容部分と、前記巻型の前記受容部分と係合する前記溶剤供給管の前記ループの少なくとも一部分を固定するための固定部分と、を備え、前記巻型が少なくとも２つのバーを備え、前記少なくとも２つのバーが各バーの各端部分において受容部分および固定部分のうちの少なくとも１つを有する、巻型。
【請求項７】
前記２つのバーが、それらの中間点で接合され、互いに実質的に直角に配置されている、請求項６に記載の巻型。
【請求項８】
前記２つのバーの第１のバーは、各端部分において受容部分が設けられ、前記２つのバーの第２のバーは各端部において固定部分が設けられている、請求項７に記載の巻型。
【請求項９】
前記受容部分が、一対の指によって構成されている、請求項６またはそれに従属するいずれかの請求項に記載の巻型。
【請求項１０】
前記固定部分が、前記溶剤供給管を受容および固定するための少なくとも１つの開口部によって構成されている、請求項６またはそれに従属するいずれかの請求項に記載の巻型。
【請求項１１】
前記固定部分のうちの一方は、単一の開口部によって構成され、前記固定部分のうちの他方は、並べて配置された一対の開口部によって構成されている、請求項１０に記載の巻型。
【発明の詳細な説明】
【技術分野】
【０００１】
本発明は、インクジェットプリンタ用の印刷ヘッド、そのような印刷ヘッドを含むインクジェットプリンタ、およびそのような印刷ヘッドの溶剤供給管の巻型に関する。
【背景技術】
【０００２】
連続インクジェット（ＣＩＪ）プリンタは、導電性インクの液滴の連続した流れを生成し、インク液滴の選択されたものに電荷を印加して、インク液滴を印刷ヘッドから印刷基材上に射出するか、または印刷ヘッド内の溝に入れてインクリザーバに戻すように動作可能である。
【０００３】
ＣＩＪプリンタは、インクリザーバに加えて、溶剤リザーバの溶剤は、インクがインクリザーバと印刷ヘッドとの間を循環するときにインクから蒸発して失われた溶剤を交換し、シャットダウン前に印刷ヘッドからインクを洗い流すために使用され、インクが印刷ヘッドに詰まるのを防止する。
【０００４】
ＣＩＪプリンタを正しく動作させるには、インク液滴の生成および選択したインク液滴への電荷の印加を正確に同期させる必要がある。この同期を得るためのプリンタの調整プロセスは、「フェージング」と呼ばれ、プリンタ自体によって行われる。例えば、周囲温度の変化に起因するインク粘度の変化に応じて、プリンタの動作中に頻繁なフェージングが必要である。
【発明の概要】
【発明が解決しようとする課題】
【０００５】
本発明者らは、ＣＩＪプリンタの印刷ヘッドが下を向いているときにフェージングが行われる場合、その後印刷ヘッドが上を向いた場合にフェージングが失敗し得ることを観察した。
【０００６】
また、本発明者らは、ＣＩＪプリンタが最初に起動されるとき、プリンタの印刷ヘッドが上を向いている場合、印刷ヘッドが下を向いている場合よりもフェージングに非常に時間がかかる可能性があることを観察した。
【０００７】
本発明者らは、これらのＣＩＪプリンタ挙動の原因が、印刷ヘッドが上を向いているときに、印刷ヘッドに接続されたインク供給管から溶剤よりも濃度の高いインクが印刷ヘッドに接続された溶剤供給管に流れ込み、溶剤供給管から溶剤がプリントヘッドに移動することにより、インクの粘度が予想外に低下し、フェージングが失敗することにあることを証明した。
【０００８】
ＪＰＨ１０−３２４０００は、ＣＩＪプリンタを示しており、その溶剤供給管には、インク供給管から溶剤供給管へのインクの流れを制限する逆流防止弁が設けられている。ＥＰ１４０５７２８、ＵＳ２０１２／１９４６１９、およびＪＰＨ５−７７４３９は、そのようなＣＩＪプリンタを同様に示している。
【０００９】
ＷＯ２００９／０４７５０３は、溶剤供給管は、インク供給管から溶剤供給管へのインクの流れを制限する流れ制御弁が設けられているＣＩＪプリンタを示している。ＷＯ２００９／０４９１３０、ＵＳ２００９／１８９９６０、およびＵＳ２０１０／０６６７９０は、類似のそのようなＣＩＪプリンタを示している。
【００１０】
ＪＰＨ１０−３２４０００らの逆流防止弁は、使用中にインクに曝される可動部品を有する機械装置である。このようなプリンタの製造コストを増加させることに加えて、弁は、弁の可動部分にインクが蓄積された結果として、このようなプリンタの信頼性を低下させることが期待できる。
【００１１】
ＷＯ２００９／０４７５０３の流れ制御弁は、印刷ヘッドではなくプリンタ本体に位置するため、インク供給管から溶剤供給管へのインクの流れを最終的には制限することになるが、この制限効果は小さすぎて有用ではないであろう。すなわち、溶剤供給管へのインクの流れは、印刷ヘッドとプリンタ本体とを接続する、数メートルの長さであり得る溶剤供給管がインクで充填された後にのみ停止することになる。
【課題を解決するための手段】
【００１２】
本発明の第１の態様によれば、インクジェットプリンタの印刷ヘッドであって、印刷ヘッドが、インク液滴生成器と、インク液滴生成器に接続されたインク供給管と、インク液滴生成器に第１の端部分において接続され、溶剤リザーバへの第２の端部における接続のための溶剤供給管と、を備え、溶剤供給管は、インク液滴生成器から溶剤供給管へのインクの流れを制限するためのインク流れ制限手段が設けられ、インク流れ制限手段は、溶剤供給管の第１の端部における溶剤供給管の流れ方向反転部分に対して、溶剤供給管の第２の端部分から溶剤供給管の第１の端部分までの溶剤の流れがインク液滴生成器から流出するような、溶剤供給管の配置を備える、インクジェットプリンタの印刷ヘッドが提供される。
【００１３】
本発明は、プリンタに接続されたときに、弁の使用を伴わずに、インク液滴生成器から溶剤供給管へのインクの流れを著しく制限する印刷ヘッドを提供することができる。
【００１４】
好ましくは、溶剤供給管の流れ方向反転部分は、インク液滴生成器から１０ｃｍ未満、より好ましくは５ｃｍ未満、さらにより好ましくは３ｃｍ未満に位置する。
【００１５】
溶剤供給管は、溶剤供給管の流れ方向反転部分が溶剤供給管のＺ字型、Ｓ字型、またはＵ字型配置の一部を形成するように有利に配置され得る。
【００１６】
しかしながら、好ましくは、溶剤供給管は、ループを伴って配置され、その中で溶剤供給管の流れ方向反転部分は、一部を形成する。
【００１７】
溶剤供給管をループを伴って配置することは、インク流れ制限手段を形成するために、溶剤供給管が位置するガイドなどの印刷ヘッドの任意の他の変更を必要としないので、本発明の特に優れた実施形態である。
【００１８】
これにより、設置されたインクジェットプリンタの一部を構成する印刷ヘッドであっても、本発明を使用して印刷ヘッドを改造することが可能となる。
【００１９】
本発明の好ましい実施形態では、印刷ヘッドは、ループのための巻型をさらに備え、巻型が、溶剤供給管のループを受容し、固定するように構成されている。
【００２０】
巻型は、ループが所定の直径を有することを保証するため、印刷ヘッド間の一貫性を提供する。
【００２１】
本発明の第２の態様によれば、本発明の第１の態様による印刷ヘッドを含むインクジェットプリンタが提供される。
【００２２】
好ましくは、インクジェットプリンタは、連続インクジェットプリンタである。
【００２３】
本発明の第３の態様によれば、溶剤供給管の巻型であって、巻型が、溶剤供給管のループを受容して、溶剤供給管のループの最小内径を定義するための受容部分と、巻型の前記受容部分と係合する溶剤供給管のループの少なくとも一部分を固定するための固定部分と、を備え、巻型が少なくとも２つのバーを備え、少なくとも２つのバーが各バーの各端部分において受容部分および固定部分のうちの少なくとも１つを有する、巻型が提供される。
【００２４】
巻型が２つのバーを備える場合、２つのバーは、好ましくは、それらの中間点で接合され、互いに実質的に直角に配置される。
【００２５】
好ましい実施形態では、２つのバーの第１のバーは、各端部分において受容部分が設けられ、２つのバーの第２のバーは、各端部分において固定部分が設けられる。
【００２６】
好ましくは、受容部分は一対の指で構成される。
【００２７】
好ましくは、固定部分は、溶剤供給管を受容および固定するための少なくとも１つの開口部によって構成される。
【００２８】
好ましい実施形態では、固定部分のうちの一方は単一の開口部によって構成され、固定部分のうちの他方は、並べて配置された一対の開口部によって構成される。
【００２９】
次に、添付の図面を参照して、本発明を例示的に説明する。
【図面の簡単な説明】
【００３０】
【図１】本発明による印刷ヘッドの概略図である。
【図２】本発明による印刷ヘッドで使用するための溶剤供給管の代替の配置の概略図である。
【図３】本発明による印刷ヘッドで使用するための溶剤供給管の代替の配置の概略図である。
【図４】本発明による印刷ヘッドの溶剤供給管と共に使用される本発明による巻型の斜視図である。
【発明を実施するための形態】
【００３１】
図１の印刷ヘッド１０は、インク供給管１４によってインクリザーバ（図示せず）に接続され、溶剤供給管１６によって溶剤リザーバ（図示せず）に接続されるインク液滴生成器１２を備える。ブリード管１８も、インク液滴生成器１２に接続されている。
【００３２】
印刷ヘッド１０の使用において、インク供給管１４を通してインク液滴生成器１２に（図１に線影で表される）汲み上げられる。インクは、インク液滴生成器１２を充填し、参照番号２０によって示されるインクのジェットは、インク液滴生成器１２のノズルから射出される。インク液滴生成器の一部を形成する電気機械的発振器（図示せず）は、インクのジェット２０を、概して参照番号２２で示される液滴の流れに分解させる。
【００３３】
印刷ヘッド１０を使用した後、溶剤を、インク液滴生成器からインクを洗い流すために、溶剤供給管１６を通してインク液滴生成器１２に、ブリード管１８を通してインク液滴生成器から汲み上げられる。洗い流しプロセスの終了時に、溶剤供給管１６を通る溶剤の流れは、弁を閉じることによって中断され、溶剤供給管１６を溶剤で充填したままにする（図１ではスティッピングで表されている）。
【００３４】
これまでに説明したような印刷ヘッド１０の動作は従来のものであることを理解されたい。
【００３５】
しかしながら、本発明によれば、溶剤供給管１６は、溶剤供給管１６の概して参照数字２４で示されるループを、溶剤供給管１６の概して参照数字２６で示される流れ方向反転部分を形成するように、溶剤供給管１６を配列した形態で、インクの流れ制限手段が設けられている。
【００３６】
疑義を避けるために、流れ方向反転部分は、洗い流しプロセス中に溶剤が溶剤リザーバから溶剤供給管１６を通ってインク液滴生成器１２に流れるため、このように呼ばれる。溶剤供給管１６に対する溶剤の流れの方向は、常に管のインクリザーバ端部分からインク液滴生成器端部分に向かっているが、溶剤供給管１６の流れ方向反転部分２６では、インク液滴生成器１２に対する溶剤の相対的な流れの方向は、インク液滴生成器から離れている。
【００３７】
溶剤供給管の流れ方向反転部分２６は、インク液滴生成器１２から約２．５ｃｍ離れて位置している。流れ方向反転部分２６およびインク液滴生成器１２は、いわゆる供給パイプライン（図示せず）によってプリンタ本体（図示せず）に取り付けられる印刷ヘッドハウジング（図示せず）に含まれる。かかる印刷ヘッドハウジングおよびプリンタ本体は、例えば、Ｄｏｍｉｎｏ  ＵＫ  ＬｉｍｉｔｅｄのＣＩＪプリンタのＡｘ−Ｓｅｒｉｅｓの範囲から、当業者には周知であろう。
【００３８】
印刷ヘッド１０を含むＣＩＪプリンタが起動すると、インク液滴生成器１２は、インク供給管１４からインクを充填する。インクは、溶剤よりも大きな密度を有し、これにより、インク液滴生成器１２内のインクのいくらかが、重力の影響下で溶剤供給管１６内に流れ、そこから溶剤供給管１６は対応する量の溶剤をインク液滴生成器１２内に移動させる。
【００３９】
溶剤供給管１６へのインクの流れは、インクが溶剤供給管１６の流れ方向反転部分２６およびインク液滴生成器１２と流れ反転部分２６との間の溶剤供給管１６の端部分２８から溶剤を移動させたときに、平衡に達するまで続く。
【００４０】
図１は、溶剤供給管１６内のインクと溶剤との間の平衡および結果として生じる界面３０を示している。
【００４１】
溶剤供給管１６内へのインクの流れによってインク液滴生成器１２内に移動された溶剤は、フェージングに失敗する可能性がある。しかしながら、本発明の流れ方向反転部分２６は、溶剤供給管１６内に流れるインクの量を制限し、したがって、インク液滴生成器１２内に流れる溶剤の量を制限する。
【００４２】
その結果、本発明の印刷ヘッドを下に向けたときにフェージングを行い、その後、印刷ヘッドを上に向けると、最初はまだ失敗することがあるが、インク液滴生成器に流入した限られた量の溶剤はインク液滴生成器から速やかに排出され、通常のフェージングがすぐに再開されることになる。
【００４３】
同様に、本発明の印刷ヘッドが最初にプリンタを起動したときに上を向いている場合、インク液滴生成器に流入する溶剤の量は制限され、溶剤はインク液滴生成器から速やかに排出され、その結果、プリンタが最初に起動したときに印刷ヘッドが下を向いていた場合と比べて、フェージングにかかる時間が非常に短くなる。
【００４４】
本発明の特に有利な点は、印刷ヘッドの挙動をより予測可能にすることである。すなわち、印刷ヘッドの向きに起因するいかなるフェージング不良も、図１に示された平衡を確立するのに必要な時間よりも、解決するのに時間がかからず、典型的には数十秒以下であるべきである。本発明がない場合、この点での印刷ヘッドの挙動は、印刷ヘッドおよびプリンタの相対的な高さ、または印刷ヘッドをプリンタに接続する供給パイプラインの長さなどの要因によって決定され、非常に予測不可能であり得る。
【００４５】
図２および図３は、図１に示したものに対して、流れ方向反転部分の代替の配置を有する溶剤供給管を示している。
【００４６】
図２の溶剤供給管５０は、第１の端部分５４と第２の端部分５６との間の流れ方向反転部分５２をそれぞれ備える。流れ方向反転部分５２はＵ字型であることが分かる。
【００４７】
図２のＵ字型の流れ方向反転部分５２は、溶剤供給管５０が取り付けられた印刷ヘッドが、第１の端部分５４が第２の端部分５６の上に垂直に位置するように角度を付けられていないことを条件に、図１に示された配置とほぼ同様に動作するであろうことが理解されるであろう。
【００４８】
図１〜図３の流れ方向反転部分は、流れ方向反転部分のある地点において、インクを上向きに流して、インクが溶剤供給管へのそれ以上のあらゆるインクの流れを防止するように作用するインクの頭部を形成するようにインクを拘束することによって、インクの溶剤供給管への流れを制限する。
【００４９】
図２から、溶剤供給管５０が第２の端部分５６の上に第１の端部分５４と共に垂直に配置された場合、そのようなインクの頭部は形成されず、溶剤供給管５０へのインクの流れは制限されないことが分かる。
【００５０】
図３の溶剤供給管６０は、第１の端部分６４と第２の端部分６６との間のＺ字型の流れ方向反転部分６２をそれぞれ備える。
【００５１】
Ｚ字型の流れ方向反転部分６２は、その向きに関わらず動作するであろう。しかしながら、図１に示される溶剤供給管１６のループ状の配置は、より少ないスペースを必要とし、非常に単純な形態では、溶剤供給管１６をループさせ、ケーブルタイを使用してそれ自体に締結することによって実装することができることから好ましい。
【００５２】
図４を参照すると、これは、概して参照番号７０で示される溶剤供給管の一部を示しており、概して参照番号７２によって示される本発明による巻型によりループに形成されている。溶剤供給管は、それ自体を丸く曲げて交差させることによってループを形成していることに留意すべきである。
【００５３】
巻型７２は、それぞれ、第１のバー７４および第２のバー７６によって構成され、互いに一体的に形成され、互いに直角に配置される。第１のバー７４は、その端部分において固定部分および受容部分が設けられ、第１のバーの第１の端部分７８における固定および受容部分は、溶剤供給管７０を受容するための単一の開口部の形態であり、第１のバー７４の第２の端部分８０における固定および受容部分は、溶剤供給管７０を受容するために並べて配置される一対の開口部の形態である。
【００５４】
第２のバー７６は、その第１の端において一対の指８２および８４の形態の受容部分が設けられ、その第２の端部分において一対の指８６および８８の形態の受容部分が設けられる。
【００５５】
巻型７２の使用において、印刷ヘッドのインク液滴生成器に接続される溶剤供給管７０の端部は、第１の方向において、第２のバー７６の第１の端部における指８２と指８４との間で、第１のバー７４の第２の端部８０の一対の開口部の第１の開口部を通過し、第２の反対の方向において、第２のバー７６の第２の端部の指８６と指８８との間で、第１のバー７４の第１の端部７８の単一の開口部を通過し、第１の方向において、第１のバー７４の第２の端部８０の一対の開口部の第２の開口部を通過する。
【００５６】
溶剤供給管７０の端部を引っ張ることによって、管は第２のバー７６と係合し、第１のバー７４内の開口部と係合し、所定の位置に固定される。第２のバー７６および第１のバー内の開口部との管７０の係合は、溶剤供給管によって形成されるループの最小内径を決定する。巻型７２は、本来は可変であり得る溶剤供給管の特性を除去し、したがって、本発明による印刷ヘッドの製造および性能の一貫性を向上させる。
【００５７】
上記の説明は、本発明の４つの実施形態にのみ関するものであり、本発明は、特許請求の範囲によって定義される他の実施形態を包含することを理解されたい。
【図１】
2021533010.tif 000003
【図２】
2021533010.tif 000004
【図３】
2021533010.tif 000005
【図４】
2021533010.tif 000006
【手続補正書】
【提出日】令和3年1月29日(2021.1.29)
【手続補正１】
【補正対象書類名】特許請求の範囲
【補正対象項目名】全文
【補正方法】変更
【補正の内容】
【特許請求の範囲】
【請求項１】
インクジェットプリンタの印刷ヘッドであって、前記印刷ヘッドが、インク液滴生成器と、前記インク液滴生成器に接続されたインク供給管と、前記インク液滴生成器に第１の端部分において接続され、溶剤リザーバへの第２の端部における接続のための溶剤供給管と、を備え、前記溶剤供給管は、前記インク液滴生成器から前記溶剤供給管へのインク流れを制限するためのインク流れ制限手段が設けられ、前記インク流れ制限手段は、前記溶剤供給管の前記第１の端部分における前記溶剤供給管の流れ方向反転部分に対して、前記溶剤供給管の前記第２の端部分から前記溶剤供給管の前記第１の端部分までの溶剤の流れが前記インク液滴生成器から流出するような、前記溶剤供給管の配置を備える、インクジェットプリンタの印刷ヘッド。
【請求項２】
前記溶剤供給管は、前記溶剤供給管の前記流れ方向反転部分が、前記溶剤供給管のＺ字型、Ｓ字型またはＵ字型配置の一部を形成するように配置されている、請求項１に記載の印刷ヘッド。
【請求項３】
前記溶剤供給管がループを伴って配置され、前記溶剤供給管の前記流れ方向反転部分が一部を形成している、請求項１に記載の印刷ヘッド。
【請求項４】
前記ループのための巻型をさらに備え、前記巻型が、前記溶剤供給管のループを受容し、固定するように構成されている、請求項３に記載の印刷ヘッド。
【請求項５】
請求項１〜４のいずれか一項に記載の印刷ヘッドを含むインクジェットプリンタ。
【請求項６】
溶剤供給管の巻型であって、前記巻型が、溶剤供給管のループを受容して、前記溶剤供給管のループの最小内径を定義するための受容部分と、前記巻型の前記受容部分と係合する前記溶剤供給管の前記ループの少なくとも一部分を固定するための固定部分と、を備え、前記巻型が少なくとも２つのバーを備え、前記少なくとも２つのバーが各バーの各端部分において受容部分および固定部分のうちの少なくとも１つを有する、巻型。
【請求項７】
前記２つのバーが、それらの中間点で接合され、互いに実質的に直角に配置されている、請求項６に記載の巻型。
【請求項８】
前記２つのバーの第１のバーは、各端部分において受容部分が設けられ、前記２つのバーの第２のバーは各端部において固定部分が設けられている、請求項７に記載の巻型。
【請求項９】
前記受容部分が、一対の指によって構成されている、請求項６から８のいずれか１項に記載の巻型。
【請求項１０】
前記固定部分が、前記溶剤供給管を受容および固定するための少なくとも１つの開口部によって構成されている、請求項６から９のいずれか１項に記載の巻型。
【請求項１１】
前記固定部分のうちの一方は、単一の開口部によって構成され、前記固定部分のうちの他方は、並べて配置された一対の開口部によって構成されている、請求項１０に記載の巻型。
【国際調査報告】
2021533010.tif 000007
2021533010.tif 000008